【手続補正書】
【提出日】令和2年7月30日(2020.7.30)
【手続補正１】
【補正対象書類名】明細書
【補正対象項目名】００４０
【補正方法】変更
【補正の内容】
【００４０】
図３と図５の比較から明らかなように、スルーホールＨＳ１２とスルーホールＨＦ３２とは、Ｘ方向において同じ位置に位置するように設けられている。また、図６に示すように、端部配線部３３５ｂ１の幅方向（Ｘ方向）において、スルーホールＨＳ３２は、端部配線部３３５ｂ１の幅方向（Ｘ方向）の中央よりも、他方側（Ｘ１側）に片寄るように設けられている。また、端部配線部３３５ｂ２の幅方向（Ｘ方向）において、スルーホールＨＳ３３は、端部配線部３３５ｂ２の幅方向（Ｘ方向）の中央よりも、一方側（Ｘ２側）に片寄るように設けられている。
【手続補正２】
【補正対象書類名】明細書
【補正対象項目名】００４５
【補正方法】変更
【補正の内容】
【００４５】
また、５層目の積層基板３５のうちスルーホールＨを除く積層基板３５の各部については、基本的に１層目の符号「３１」に代えて符号「３５」を付し、その他の数字またはアルファベットを組み合わせたものをさらに付して説明する。同様に、図８および図９にそれぞれ示す７層目および９層目のそれぞれの積層基板３７，３９のうちスルーホールＨを除く積層基板３７，３９の各部についても、基本的に１層目の符号「３１」に代えて符号「３７」、「３９」を付し、その他の数字またはアルファベットを組み合わせたものをさらに付して説明する。
【手続補正３】
【補正対象書類名】明細書
【補正対象項目名】００５９
【補正方法】変更
【補正の内容】
【００５９】
＜効果＞
以上のような構成のコイル部品１０によると、積層基板３１〜３９には、複数のスルーホールＨが配列されていて、そのパターン配線３１５〜３９５は、積層基板を貫通する中心孔の周囲を取り巻くループ状部分３１５ａ〜３９５ａと、該ループ状部分３１５ａ〜３９５ａからスルーホールＨの配列方向と交差する交差方向に延伸すると共に互いに所定の絶縁距離だけ隔てて対向する一対の端部配線部３１５ｂ１〜３９５ｂ１，３１５ｂ２〜３９５ｂ２を備えていて、複数のスルーホールＨのうち隣り合う２つのスルーホールＨは、その開口の少なくとも一部が一対の端部配線部３１５ｂ１〜３９５ｂ１，３１５ｂ２〜３９５ｂ２に差し掛かって端部配線部３１５ｂ１〜３９５ｂ１，３１５ｂ２〜３９５ｂ２と電気的に接続された状態で積層基板３１〜３９を貫通している。また、一対の端部配線部３１５ｂ１〜３９５ｂ１，３１５ｂ２〜３９５ｂ２のうち、一方の端部配線部３１５ｂ１，３３５ｂ１，３５５ｂ１，３７５ｂ１，３９５ｂ１における一方のスルーホールＨの開口は、一方の端部配線部３１５ｂ１，３３５ｂ１，３５５ｂ１，３７５ｂ１，３９５ｂ１の交差方向における中心よりも、他方の端部配線部３１５ｂ２，３３５ｂ２，３５５ｂ２，３７５ｂ２，３９５ｂ２に近接した位置に設けられている。
【手続補正４】
【補正対象書類名】明細書
【補正対象項目名】００６０
【補正方法】変更
【補正の内容】
【００６０】
このような構成とすることにより、一方の端部配線部３１５ｂ１，３３５ｂ１，３５５ｂ１，３７５ｂ１，３９５ｂ１に位置するスルーホールＨと、と他方の端部配線部３１５ｂ２，３３５ｂ２，３５５ｂ２，３７５ｂ２，３９５ｂ２に位置するスルーホールＨとの間の間隔ＬＰ１，ＬＰ３，ＬＰ５，ＬＰ７，ＬＰ９は、一方の端部配線部３１５ｂ１，３３５ｂ１，３５５ｂ１，３７５ｂ１，３９５ｂ１と他方の端部配線部３１５ｂ２，３３５ｂ２，３５５ｂ２，３７５ｂ２，３９５ｂ２の間の間隔ＬＣ１，ＬＣ３，ＬＣ５，ＬＣ７，ＬＣ９よりも、狭くすることが可能となる。すなわち、スルーホールＨ間のピッチを、一対の端部配線部３１５ｂ１，３３５ｂ１，３５５ｂ１，３７５ｂ１，３９５ｂ１，３１５ｂ２，３３５ｂ２，３５５ｂ２，３７５ｂ２，３９５ｂ２間のピッチよりも狭くすることができる。
【手続補正５】
【補正対象書類名】明細書
【補正対象項目名】００６２
【補正方法】変更
【補正の内容】
【００６２】
また、本実施の形態では、一対の端部配線部３１５ｂ１〜３５５ｂ１，３１５ｂ２〜３５５ｂ２のうち、他方の端部配線部３１５ｂ２，３３５ｂ２，３５５ｂ２，３７５ｂ２，３９５ｂ２における他方のスルーホールＨの開口は、他方の端部配線部３１５ｂ２，３３５ｂ２，３５５ｂ２，３７５ｂ２，３９５ｂ２の交差方向（たとえばＸ方向）における中心よりも、一方の端部配線部３１５ｂ１，３３５ｂ１，３５５ｂ１，３７５ｂ１，３９５ｂ１に近接した位置に設けられている。
【手続補正６】
【補正対象書類名】明細書
【補正対象項目名】００６３
【補正方法】変更
【補正の内容】
【００６３】
このため、スルーホールＨ間のピッチを、一対の端部配線部３１５ｂ１，３３５ｂ１，３５５ｂ１，３７５ｂ１，３９５ｂ１，３１５ｂ２，３３５ｂ２，３５５ｂ２，３７５ｂ２，３９５ｂ２間のピッチよりも一層狭くすることができる。したがって、スルーホールＨ間のピッチを狭くすることができる分だけ、コイル部品１０の小型化を一層図ることが可能となる。また、同じサイズのコイル部品１０においては、現状のものよりもスルーホールＨおよびそのスルーホールＨに差し込まれる金属ピン５０の数を多くすることができる。
【手続補正７】
【補正対象書類名】明細書
【補正対象項目名】００６４
【補正方法】変更
【補正の内容】
【００６４】
また、本実施の形態では、スルーホールＨは、その開口の全体が端部配線部３１５ｂ１〜３９５ｂ１，３１５ｂ２〜３９５ｂ２に差し掛かっていて、該開口の周囲が端部配線部３１５ｂ１〜３９５ｂ１，３１５ｂ２〜３９５ｂ２で囲まれている。
【手続補正８】
【補正対象書類名】明細書
【補正対象項目名】００６５
【補正方法】変更
【補正の内容】
【００６５】
このため、層の異なるパターン配線３１５〜３９５間での電気的な接続の確実性を向上させることが可能となる。
【手続補正９】
【補正対象書類名】明細書
【補正対象項目名】００６７
【補正方法】変更
【補正の内容】
【００６７】
また、本実施の形態では、積層基板３１〜３９には、パターン配線３２５，３４５，３６５，３８５がトランスの１次側コイルを構成する１次側の積層基板３２，３４，３６，３８と、パターン配線３１５，３３５，３５５，３７５，３９５がトランスの２次側コイルを構成する２次側の積層基板３１，３３，３５，３７，３９とが設けられていて、１次側の積層基板３２，３４，３６，３８と２次側の積層基板３１，３３，３５，３７，３９とが交互に積層されている。
【手続補正１０】
【補正対象書類名】明細書
【補正対象項目名】００６８
【補正方法】変更
【補正の内容】
【００６８】
このため、少なくとも２次側の積層基板３１，３３，３５，３７，３９において、スルーホールＨ間の間隔を狭くした狭ピッチ化を図ることにより、同じサイズのコイル部品１０であれば、現状のコイル部品と比較して２次側の積層基板３１，３３，３５，３７，３９の積層可能な枚数を増やすことができる。それにより、２次側コイルの巻数を増やすことが可能となる。また、２次側の積層基板３１，３３，３５，３７，３９の積層枚数が、現状のコイル部品と比較して増加しないものとする場合には、コイル部品の小型化を図ることが可能となる。
【手続補正１１】
【補正対象書類名】明細書
【補正対象項目名】００６９
【補正方法】変更
【補正の内容】
【００６９】
＜変形例＞
上述の実施の形態では、スルーホールＨは、その開口の全体が端部配線部３１５ｂ１〜３９５ｂ１，３１５ｂ２〜３９５ｂ２に差し掛かっていて、該開口の周囲が端部配線部３１５ｂ１〜３９５ｂ１，３１５ｂ２〜３９５ｂ２で囲まれる構成としている。しかしながら、このような構成に代えて、図１３に示すような構成としても良い。図１４は、本発明の変形例に係るコイル部品の一対の端部配線部３１５ｂ３，３１５ｂ４を拡大して示す部分的な平面図である。
【手続補正１２】
【補正対象書類名】明細書
【補正対象項目名】００７４
【補正方法】変更
【補正の内容】
【００７４】
また、上述の実施の形態では、一方の端部配線部３１５ｂ１，３３５ｂ１，３５５ｂ１，３７５ｂ１，３９５ｂ１においては、スルーホールＨは、端部配線部３１５ｂ１，３３５ｂ１，３５５ｂ１，３７５ｂ１，３９５ｂ１の幅方向（Ｘ方向）の中央よりも、他方側（Ｘ１側）に片寄るように設けられている。また、端部配線部３１５ｂ２，３３５ｂ２，３５５ｂ２，３７５ｂ２，３９５ｂ２の幅方向（Ｘ方向）において、スルーホールＨは、端部配線部３１５ｂ２，３３５ｂ２，３５５ｂ２，３７５ｂ２，３９５ｂ２の幅方向（Ｘ方向）の中央よりも、一方側（Ｘ２側）に片寄るように設けられている。
【手続補正１３】
【補正対象書類名】明細書
【補正対象項目名】００７５
【補正方法】変更
【補正の内容】
【００７５】
しかしながら、このような構成を採用せずに、一対の端部配線部３１５ｂ１〜３５５ｂ１，３１５ｂ２〜３５５ｂ２のうち、一方の端部配線部３１５ｂ１，３３５ｂ１，３５５ｂ１，３７５ｂ１，３９５ｂ１に位置するスルーホールＨのみを、他方側（Ｘ１側）に片寄るようにすると共に、他方の端部配線部３１５ｂ２，３３５ｂ２，３５５ｂ２，３７５ｂ２，３９５ｂ２に位置するスルーホールＨは、その端部配線部３１５ｂ２，３３５ｂ２，３５５ｂ２，３７５ｂ２，３９５ｂ２の幅方向の中央に位置する構成としても良い。また、一対の端部配線部３１５ｂ１〜３５５ｂ１，３１５ｂ２〜３５５ｂ２のうち、他方の端部配線部３１５ｂ２，３３５ｂ２，３５５ｂ２，３７５ｂ２，３９５ｂ２に位置するスルーホールＨのみを、一方側（Ｘ２側）に片寄るようにすると共に、一方の端部配線部３１５ｂ１，３３５ｂ１，３５５ｂ１，３７５ｂ１，３９５ｂ１に位置するスルーホールＨは、その端部配線部３１５ｂ１，３３５ｂ１，３５５ｂ１，３７５ｂ１，３９５ｂ１の幅方向の中央に位置する構成としても良い。また、１次側スルーホール列３１２の各スルーホールＨについても、同様の構成を採用しても良い。
【手続補正１４】
【補正対象書類名】明細書
【補正対象項目名】００７６
【補正方法】変更
【補正の内容】
【００７６】
また、上述の実施の形態では、２次側の積層基板３１，３３，３５，３７，３９の枚数が、１次側の積層基板３２，３４，３６，３８の枚数よりも多くなっている。しかしながら、１次側の積層基板の枚数を２次側の積層基板の枚数よりも多くすることも可能であり、また１次側の積層基板の枚数と２次側の積層基板の枚数を同じ枚数とすることも可能である。これらの場合にも、１次側の積層基板および２次側の積層基板の内の少なくとも一方に対して、上述したようなスルーホールＨの狭ピッチ化を図る構成とすることは勿論可能である。